(57)【要約】【課題】ユーザーが液晶表示部を目視し操作を行っている状態において、接眼検知機能をＯＦＦし、より効果的な消費電力低減を行うことを目的とする撮像装置を提供すること。【解決手段】液晶表示部などの液晶表示装置に視線検出手段を備え、液晶表示部を目視していることを判別できるカメラにおいて、ユーザーが液晶表示部を目視していると検出した時は、接眼検知機能をオフすることを特徴とする。【選択図】図２
2017120272.tif 000002
【特許請求の範囲】
【請求項１】
演算処理部からの画像データを表示する液晶表示部と、
操作者の視線の向きを検出する視線検出部と、
使用者がファインダを覗いていることを検知する接眼検知部と、を有し、
前記視線検出部からの信号をもとに使用者が液晶表示部上に視線を向けていることを検出した際、前記接眼検知部の電源をオフし、
前記視線検出部からの信号をもとに使用者が液晶表示部上に視線を向けていないことを検出した際、前記接眼検知部の電源をオンすることを特徴とする撮像装置。
【発明の詳細な説明】
【技術分野】
【０００１】
本発明は、接眼検知機能及び視線検出機能を有する装置に関する。
【背景技術】
【０００２】
近年のデジタルカメラは、接眼検知手段による検知結果に応じて、液晶表示部表示オフや、撮影準備動作を行うなどの機能を付加させているが、接眼検知手段を必要とする接眼時以外では、接眼検知手段の消費電力を無駄に消費している。そこで、特許文献１では、接眼検知を必要としない遠隔操作モード時には接眼検知機能を禁止させている。
【先行技術文献】
【特許文献】
【０００３】
【特許文献１】特開２００９−８７０７６号公報
【発明の概要】
【発明が解決しようとする課題】
【０００４】
しかしながら、上述の特許文献１に開示された従来技術では、カメラが特定のモードに設定された際に接眼検知をオフするものであり、通常の撮影モードに設定されていて、ユーザーがタッチパネルなどを操作して接眼していない場面では機能することが出来ない。
【０００５】
そこで、本発明の目的は、カメラが通常の撮影モードに設定されていても、ユーザーがタッチパネルなどを操作して接眼していない場面では接眼検知機能をオフし消費電力削減効果を得ることが可能な撮像装置を提供することにある。
【課題を解決するための手段】
【０００６】
上記の目的を達成するために、本発明に係る撮像装置は、
演算処理部からの画像データを表示する液晶表示部、操作者の視線の向きを検出する視線検出部と、使用者がファインダを覗いていることを検知する接眼検知部と、を有する。視線検出部からの信号をもとに使用者が液晶表示部上に視線を向けていることを検出した際、接眼検知部の電源をオフする。また、視線検出部からの信号をもとに使用者が液晶表示部上に視線を向けていないことを検出した際、接眼検知部の電源をオンすることを特徴とする。
【発明の効果】
【０００７】
本発明に係る撮像装置によれば、カメラが通常の撮影モードに設定されていても、ユーザーがタッチパネルなどを操作して接眼していない場面では接眼検知機能をオフし消費電力削減効果を得ることできる。
【図面の簡単な説明】
【０００８】
【図１】本発明に係る第１の実施形態の、撮像装置の断面図および背面図である。
【図２】本発明に係る第１の実施形態の、撮像装置のブロック図である。
【図３】本発明に係る第１の実施形態の、撮像装置の制御フローチャートである。
【発明を実施するための形態】
【０００９】
以下に、本発明の好ましい実施の形態を、添付の図面に基づいて詳細に説明する。
【００１０】
図１（ａ）は本発明に係る第１の実施形態の撮像装置の断面図を、図１（ｂ）は撮像装置の背面図を示す。本発明に係る撮像装置は、図１（ｂ）に示すように、視線検出部１４４を有することを前提とする。
【００１１】
以下、図１（ａ）から、各部の説明をする。
【００１２】
図１（ａ）に示すように、１０１は撮像装置、１０２はマウント機構であり、交換レンズ１８１は、このマウント機構１０２を介して撮像装置１０１本体に電気的及び機械的に接続される。
【００１３】
１３１は固体撮像素子である。固体撮像素子の前面にはカバーガラスや光学ローパスフィルター、周辺には防塵・防滴のための密閉用部材を配している。固体撮像素子１３１で捉えられた物体像は、プリント基板１４１に実装される演算処理部２０３によって画像データに変換され、液晶表示部１４２に表示される。
【００１４】
ハーフミラー１２１は、結像光学系からの光路Ｌ１を分割して光学ファインダに供給するための可動型のミラーである。フォーカシングスクリーン１１１は、物体像の予定結像面に配置されている。１１２はペンタプリズムである。レンズ１１３は、撮影時、ユーザーが光学ファインダ像を観察するためのレンズであり、実際には複数のレンズで構成されている。
【００１５】
フォーカシングスクリーン１１１、ペンタプリズム１１２、レンズ１１３はファインダ光学系を構成している。ハーフミラー１２１の背後には可動型のサブミラー１２２が設けられており、ハーフミラー１２１を透過した光束の内、光路Ｌ１の光軸に近い光束を焦点検出部１２３に偏向している。
【００１６】
サブミラー１２２は、ハーフミラー１２１の保持部材に設けられた回転軸を中心に回転し、ハーフミラー１２１の動きに連動して移動する。尚、この焦点検出部１２３は、位相差検出方式により焦点検出を行う。
【００１７】
ハーフミラー１２１とサブミラー１２２からなる光路分割系は以下の２つの状態を持つ。１つは上述のファインダー光学系に光を導くための第１の光路分割状態。もう１つは、交換レンズ１８１からの光束を直接固体撮像素子１３１に導くために撮影光路Ｌ１から退避した第２の光路分割状態である。
【００１８】
フォーカルプレンシャッタ１２４は先幕と後幕によって構成される。先幕と後幕はそれぞれ複数枚の薄膜遮光素材によって構成され、これらを開閉動作させることにより固体撮像素子１３１への露光量を制御する。
【００１９】
１２５は測光部であり、光電変換素子によって構成される。マウント側からの入射光の一部がハーフミラー１２１によって分離されて測光部に入射しており、測光部の出力から固体撮像素子１３１表面の輝度を間接的に知覚することができる。
【００２０】
１４１は電子回路基板を示す。電子回路基板の詳細の回路構成については、図２のブロック図で示す。
【００２１】
１４２は液晶表示部を示す。１４２の前面には、タッチセンサー１４３を配する。
【００２２】
１４４は視線検出部を示す。視線検出の方法については特に限定はないが、本実施形態では、視線位置精度が望める角膜反射方式を想定している。
【００２３】
１４５は接眼検知部を示す。撮影者がファインダを覗いているか否かを検出するために、ＬＥＤ発光素子の発光制御や、受光素子の受光レベルの結果を演算処理部２０３に入力する。
【００２４】
演算処理部２０３は、接眼検知回路１４５からの出力に基づいて、撮影者がファインダ接眼部を覗いているか否かを判別する。
【００２５】
図１（ｂ）は本発明に係る実施形態の撮像装置の背面図を示す。
【００２６】
１４２〜１４５は、図１（ａ）で説明した通り、１４２は液晶表示部を、１４３はタッチセンサーを、１４４は視線検出部を、１４５は接眼検知部を示す。
【００２７】
図２は本発明に係る第１の実施形態の、撮像装置のブロック図である。
【００２８】
図２において、１４１はプリント基板で、撮像装置の動作を主として制御する制御回路２０２が搭載されている。制御回路２０２は、後述する撮像装置内の各電気回路の制御をする。
【００２９】
プリント基板１４１には撮像装置全体を制御する演算処理部２０３と、生成された画像データを一時的に保存する記憶回路２０４が搭載されている。
【００３０】
２１１はシャッター及びミラーの駆動回路で、固体撮像素子１３１を適正に露光させるためにシャッター１２４の開閉制御や、ハーフミラー１２１およびサブミラー１２２のアップ／ダウンの制御を行う。
【００３１】
２１２はスイッチ回路で、撮像装置を撮影準備状態とするスイッチ、撮影動作を開始するスイッチ、撮影条件を選択する為のスイッチ等がある。２１３は操作検出回路で、撮像装置内に設けられた多数の操作部材（不図示）からの信号を制御回路２０２に伝達する。
【００３２】
２２１は、電池２２２の電圧を、撮像装置を構成する各回路ユニットが必要とする電圧に変換して供給する電源回路である。
【００３３】
１４２は、液晶表示部を示し、演算処理部２０３から送信される映像データを受信して表示する。
【００３４】
１４３は、タッチセンサーを示し、撮影者のタッチ操作を検出する。タッチセンサー１４３と演算処理部２０３間で、タッチセンサーの制御データおよびタッチ検出データを送受信する。
【００３５】
１４４は、視線検出部を示し、検出した視線の向きに関する情報を、演算処理部２０３に送信する。
【００３６】
図３は本発明の実施例における動作を説明したフローチャートである。
【００３７】
Ｓ１０１にてカメラ電源がＯＮされ、Ｓ１０２で制御回路２０２及び演算処理回路２０３が起動すると、Ｓ１０３で接眼検知部１４５の電源がＯＮされ、Ｓ１０４で視線検出部１４４の電源がＯＮされる。
【００３８】
Ｓ１０５にて視線検出部１４４にて液晶表示部上に視線が検出されているか判定を行い、検出されていない場合はＳ１０９で撮影動作へ進み、されている場合はＳ１０６に進む。
【００３９】
Ｓ１０６にて接眼検知部１４５の電源をＯＦＦし、Ｓ１０７に進む。
【００４０】
Ｓ１０７にて視線検出部１４４にて液晶表示部上に視線が検出されているか判定を行い、引き続きされている場合はＳ１０６に戻り、されていない場合はＳ１０８に進み、接眼検知部１４５の電源をＯＮし、Ｓ１０９撮影動作へ進む。そしてＳ１１０にて動作を終了する。
【００４１】
以上の実施形態によれば、カメラが通常の撮影モードに設定されていても、ユーザーがタッチパネルなどを操作して接眼していない場面では接眼検知機能をオフし消費電力削減効果を得ることできる。
【符号の説明】
【００４２】
１０１  撮像装置本体、１４２  液晶表示部、１４３  タッチセンサー、
１４４  視線検出部、１４５  接眼検知部
【図１】
2017120272.tif 000003
【図２】
2017120272.tif 000004
【図３】
2017120272.tif 000005